(57)【要約】【課題】スタンプラリーユーザの属性、および、電子タグの読取り履歴によって、ユーザの趣味・嗜好に沿ったスタンプラリーのルートを動的に設定することによって、ユーザの満足度を向上させる。【解決手段】携帯電話機２０のユーザ情報を登録するユーザ登録部１２ａと、ユーザ情報に基づいて、各電子タグ３０が設置された複数の場所を特定の順序で連結する一つのスタンプラリールートを計算するルート計算部１２ｂと、計算されたスタンプラリールートを携帯電話機２０に出力する（サーバ側）通信部１１と、を備え、ルート計算部１２ｂは、携帯電話機２０から入力されたタグ情報が、スタンプラリールートから外れた場合、ユーザ情報およびスタンプラリールートから外れた場所のタグ情報に基づいて、再度スタンプラリールートを計算し、（サーバ側）通信部１１は、再度計算したスタンプラリールートを携帯電話機２０に出力する。【選択図】図１
2011053956.tif 000002
【特許請求の範囲】
【請求項１】
複数の電子タグ、携帯電話機およびサーバ装置から構成され、電子的なスタンプを用いてスタンプラリーを実施するスタンプラリーシステムであって、
前記サーバ装置は、
前記携帯電話機のユーザ情報を登録するユーザ登録部と、
前記ユーザ情報に基づいて、前記各電子タグが設置された複数の場所を特定の順序で連結する少なくとも一つのスタンプラリールートを計算するルート計算部と、
前記計算されたスタンプラリールートを前記携帯電話機に出力するサーバ側通信部と、を備え、
前記携帯電話機は、
ユーザからの入力を受け付ける入力部と、
前記サーバ装置から入力されたスタンプラリールートを表示する表示部と、
前記電子タグに記録されているタグ情報を読み取る読み取り部と、
ユーザ情報および前記タグ情報を前記サーバ装置へ出力する端末側通信部と、を備え、
前記ルート計算部は、前記携帯電話機から入力されたタグ情報が、前記スタンプラリールートから外れた場合、前記ユーザ情報および前記スタンプラリールートから外れた場所のタグ情報に基づいて、再度スタンプラリールートを計算し、
前記サーバ側通信部は、再度計算したスタンプラリールートを前記携帯電話機に出力することを特徴とするスタンプラリーシステム。
【請求項２】
前記入力部からの入力に応じて、前記スタンプラリールートまたは前記再度計算したスタンプラリールートのいずれか一方を選択し、前記スタンプラリールートから外れた場所からスタンプラリーを再開することを特徴とする請求項１記載のスタンプラリーシステム。
【請求項３】
前記ユーザ登録部は、前記スタンプラリールートから外れたタグ情報に基づいて、ユーザ情報を更新することを特徴とする請求項１または請求項２記載のスタンプラリーシステム。
【請求項４】
前記ユーザ登録部は、ユーザ情報にユーザの興味カテゴリを含めて登録し、
前記ルート計算部は、同一の前記興味カテゴリを選択した他のユーザが過去に読み取ったタグ情報を参照して、スタンプラリールートの計算を行なうことを特徴とする請求項３記載のスタンプラリーシステム。
【請求項５】
前記ルート計算部は、スタンプラリーの開始地点を、前記電子タグが設置された任意の場所とすることを特徴とする請求項１から請求項４のいずれかに記載のスタンプラリーシステム。
【請求項６】
複数の電子タグ、携帯電話機およびサーバ装置から構成され、電子的なスタンプを用いてスタンプラリーを実施するスタンプラリーシステムに適用されるサーバ装置であって、
前記携帯電話機のユーザ情報を登録するユーザ登録部と、
前記ユーザ情報に基づいて、前記各電子タグが設置された複数の場所を特定の順序で連結する少なくとも一つのスタンプラリールートを計算するルート計算部と、
前記計算されたスタンプラリールートを前記携帯電話機に出力するサーバ側通信部と、を備え、
前記ルート計算部は、前記携帯電話機から入力されたタグ情報が、前記スタンプラリールートから外れた場合、前記ユーザ情報および前記スタンプラリールートから外れた場所のタグ情報に基づいて、再度スタンプラリールートを計算し、
前記サーバ側通信部は、再度計算したスタンプラリールートを前記携帯電話機に出力することを特徴とするサーバ装置。
【請求項７】
前記ユーザ登録部は、ユーザ情報にユーザの興味カテゴリを含めて登録し、
前記ルート計算部は、同一の前記興味カテゴリを選択した他のユーザが過去に読み取ったタグ情報を参照して、スタンプラリールートの計算を行なうことを特徴とする請求項６記載のサーバ装置。
【請求項８】
前記ルート計算部は、スタンプラリーの開始地点を、前記電子タグが設置された任意の場所とすることを特徴とする請求項６または請求項７記載のサーバ装置。
【発明の詳細な説明】
【技術分野】
【０００１】
本発明は、複数の電子タグ、携帯電話機およびサーバ装置から構成され、電子的なスタンプを用いてスタンプラリーを実施するスタンプラリーシステムおよびそれに適用されるサーバ装置に関する。
【背景技術】
【０００２】
従来から知られているスタンプラリーは、予め主催者が定めたルートを書いたスタンプ用紙を用意し、ユーザ（利用者および参加者を含む。以下同様。）はその用紙にスタンプを押していくものであった。また、用紙の代わりにインターネット上のＷｅｂページを利用し、スタンプを押す代わりに携帯端末が搭載するカメラで２次元コードを読み取ったり、携帯端末が搭載する電子タグリーダで電子タグを読み取ったりする方法も提案されている。
【０００３】
特許文献１に開示されている技術は、ＲＦＩＤを読み取った履歴を管理し、携帯電話の固体識別番号とＲＦＩＤの読取履歴とをマッチングさせ、動的にページを表示するＷｅｂアプリケーションを提供する。これにより、ＲＦＩＤの読取履歴に基づくデータを、利用者が必要なときに、携帯電話などのモバイル端末で簡単かつ効率的に確認を実施しようとしている。
【０００４】
特許文献２に開示されている技術は、スタンプラリーに関する情報を管理する管理サーバ、２次元コードに保存されるスタンプラリーの情報を管理サーバへ送信する携帯端末、および管理サーバと携帯端末を接続する通信ネットワークから構成されている。この管理サーバが、携帯端末から送信される２次元コードからデコードされた情報を受信する２次元コード情報受信手段と、２次元コード情報受信手段に於いて受信した情報を所定の規則に従って処理を行なう情報処理手段と、情報処理手段に於いて処理された情報を保存する情報保存手段と、情報保存手段に於いて保存されるスタンプラリーの情報を閲覧することを可能にする閲覧手段を有する。この構成により、参加者にとっては、収集したスタンプの管理を容易にし、主催者にとっては、所望する参加者に利用効率の高い情報を送信しようとしている。
【０００５】
特許文献３に開示されている技術は、読み取り装置において、媒体ＩＤの読み取りが行なわれたか否かを示すフィールド情報を有し、媒体ＩＤ毎に記憶するためのスタンプフィールド情報を有する読み取り履歴情報記憶部を有し、読み取り装置によって読み取られた媒体ＩＤと読み取り装置自身に設定された装置ＩＤとを読み取り装置から受信し、受信した媒体ＩＤと装置ＩＤに基づいて、読み取り履歴情報記憶部のスタンプフィールド情報に読み取りが行なわれたことを示す情報を書き込む書き込み部とを有する。また、スタンプフィールド情報を参照し、媒体ＩＤの読み取りが行なわれたか否かの履歴を解析する履歴情報解析部、および履歴情報解析部の解析結果に基づいて、解析結果に応じた配信情報を携帯端末に配信する配信部を有する。これにより、スタンプの管理を簡単にし、来場者が商業施設内において有意義に過ごすことができるようにしている。
【０００６】
特許文献４に開示されている技術では、利用者が用いる利用者端末、利用者の移動の目的地となり得る目的地情報を提供する複数の目的地提供者が用いる目的地提供者端末、および目的地に関する複数の情報を利用者に提供する目的地情報提供サーバとがネットワークを介して送受信可能に接続されている。また、目的地情報提供サーバには、通信手段、表示情報出力手段、利用者位置抽出手段、目的地情報および利用者履歴情報が蓄積されたデータベース、目的地設定手段、判定手段、利用者履歴情報を更新する更新手段が設けられている。この構成により、２つ以上の目的地を要する利用者に対して連続的かつ効率的にそれらの目的地に関する情報を提供できるようにしている。
【０００７】
また、特許文献５に開示されている技術は、ドライブプランに設定する出発地および到着地の情報と、出発時刻および到着時刻の少なくとも一方の情報とを指定するための入力手段、出発地および到着地の情報に基づいて、経路および時間を計算するルート計算手段、位置情報を含む経由地の情報を記憶した経由地データベースを検索して、ルート計算手段が計算した経路および時間と入力された出発時刻および到着時刻の条件を満足しながら到達可能な経由地を取得する経由地検索手段、到達可能な経由地とラベルとを対応付けるためのラベル作成ルールを用いて、到達可能な経由地にラベルを付与するラベル作成手段とから構成されている。この構成により、ユーザの嗜好に応じたドライブプランを提供し、ドライブプラン実行時は状況に応じてドライブプランを適宜変更できるようにしている。
【０００８】
また、特許文献６に開示されている技術は、余暇としての行動予定時間を入力することにより、その行動予定時間で移動可能な範囲を算出し、その移動範囲に存在するレジャースポットを検索する。そして、レジャースポットが選択されると、選択されたレジャースポットに基づいたルートを探索し、ドライブプランを表示して、ドライブルートを設定する。この構成により、余暇の範囲内での快適なドライブを実現しようとしている。
【先行技術文献】
【特許文献】
【０００９】
【特許文献１】特開２００８−０８４２８４号公報
【特許文献２】特開２００５−１１５６４２号公報
【特許文献３】特開２００５−０６３１９３号公報
【特許文献４】特開２００４−１８５２３４号公報
【特許文献５】特開２００６−０５８０８９号公報
【特許文献６】特開２００３−０５０１３８号公報
【発明の概要】
【発明が解決しようとする課題】
【００１０】
しかしながら、従来の手法では、スタンプラリーのルートは、予め主催者側が設定したものであるため、ユーザの趣味・嗜好とは異なるルートが設定されている場合は、ユーザの参加意欲を損ない、参加しても高い満足度が得られないことがあった。また、従来は、決められたスタート地点から開始することが一般的であり、入口が複数あるような大規模施設の場合は、スタンプラリーを開始するにはスタート地点まで行かなければならなかった。
【００１１】
さらに、特許文献４記載の技術は、ユーザがルートを決めるための情報をシステムが提示し、ユーザが選択してルートを決めるというものであるため、ユーザが自分自身で操作し決定する項目が多く、ルート設定にあたりユーザの負担が大きいという問題があった。また、ユーザの趣味嗜好が考慮されていないため、ユーザの好き嫌いやユーザに適した移動手段（徒歩、自転車、車椅子など）にマッチしないルート候補地が提案されることもあり、参加意欲を損なう可能性があった。
【００１２】
また、特許文献５記載の技術のように、カーナビゲーションの分野においても目的地へのルート設定および誘導の技術は存在する。カーナビゲーションの分野では、必ずユーザの目的地が存在し、出発地から目的地を結ぶ走行ルート途中で立寄り可能な距離に存在するユーザ嗜好に適うスポットを選択し、ドライブルートを設定するものである。また、ルートを外れた場合の代替スポット提案技術もあるが、それらはドライブルートに沿った地点での代替スポットであり、現在地と目的地を結ぶルートから大きく外れるスポットの提案はない。また、システムから目的地自体を変更する提案を行なうことはない。
【００１３】
また、特許文献６記載の技術のように、カーナビゲーションの分野において、余暇時間でのドライブを目的として、出発到着時刻のみを指定し、目的地自体を指定せずにルートを設定する技術もある。この場合、ドライブ開始前に余暇時間とレジャーカテゴリを選択して、ドライブルートを決定する。ルート決定した後に、経由地追加等は可能であるが、ルートを外れた場合に、システムから目的地を含めたルート自体を変更する提案を行なうことはない。
【００１４】
本発明は、このような事情に鑑みてなされたものであり、スタンプラリーユーザの属性、および、電子タグの読取り履歴によって、ユーザの趣味・嗜好に沿ったスタンプラリーのルートを動的に設定することによって、ユーザの満足度を向上させることができるスタンプラリーシステムおよびサーバ装置を提供することを目的とする。
【課題を解決するための手段】
【００１５】
（１）上記の目的を達成するために、本発明は、以下のような手段を講じた。すなわち、本発明のスタンプラリーシステムは、複数の電子タグ、携帯電話機およびサーバ装置から構成され、電子的なスタンプを用いてスタンプラリーを実施するスタンプラリーシステムであって、前記サーバ装置は、前記携帯電話機のユーザ情報を登録するユーザ登録部と、前記ユーザ情報に基づいて、前記各電子タグが設置された複数の場所を特定の順序で連結する少なくとも一つのスタンプラリールートを計算するルート計算部と、前記計算されたスタンプラリールートを前記携帯電話機に出力するサーバ側通信部と、を備え、前記携帯電話機は、ユーザからの入力を受け付ける入力部と、前記サーバ装置から入力されたスタンプラリールートを表示する表示部と、前記電子タグに記録されているタグ情報を読み取る読み取り部と、ユーザ情報および前記タグ情報を前記サーバ装置へ出力する端末側通信部と、を備え、前記ルート計算部は、前記携帯電話機から入力されたタグ情報が、前記スタンプラリールートから外れた場合、前記ユーザ情報および前記スタンプラリールートから外れた場所のタグ情報に基づいて、再度スタンプラリールートを計算し、前記サーバ側通信部は、再度計算したスタンプラリールートを前記携帯電話機に出力することを特徴としている。
【００１６】
このように、携帯電話機から入力されたタグ情報が、スタンプラリールートから外れた場合、ユーザ情報およびスタンプラリールートから外れた場所のタグ情報に基づいて、再度スタンプラリールートを計算し、再度計算したスタンプラリールートを携帯電話機に出力するので、ユーザの趣味・嗜好に沿ったスタンプラリーのルートを動的に設定することができ、ユーザの満足度を向上させることができる。
【００１７】
（２）また、本発明のスタンプラリーシステムは、前記入力部からの入力に応じて、前記スタンプラリールートまたは前記再度計算したスタンプラリールートのいずれか一方を選択し、前記スタンプラリールートから外れた場所からスタンプラリーを再開することを特徴としている。
【００１８】
このように、入力部からの入力に応じて、スタンプラリールートまたは再度計算したスタンプラリールートのいずれか一方を選択し、スタンプラリールートから外れた場所からスタンプラリーを再開するので、ユーザの嗜好に応じたスタンプラリーを実施することが可能となる。例えば、ユーザが大型のショッピングモールで買い物をしている最中に、特定の商品を思い出したり、店頭のディスプレイに気になる商品が陳列されていたりした場合、ルート設定されていない店舗を訪れることがある。このようなユーザに対しては、同一ジャンルの他の店舗もスタンプラリーのルートに加えることが可能となる。また、既に来店となった店舗の情報は保持したままにしておき、新たに設定したルートからスタンプラリーを再開（継続）することができる一方、元のスタンプラリールートのままで継続することもできる。
【００１９】
（３）また、本発明のスタンプラリーシステムにおいて、前記ユーザ登録部は、前記スタンプラリールートから外れたタグ情報に基づいて、ユーザ情報を更新することを特徴としている。
【００２０】
このように、スタンプラリールートから外れたタグ情報に基づいて、ユーザ情報を更新するので、ユーザ情報を蓄積することができ、ユーザの嗜好に応じたスランプラリールートの設定をすることが可能となる。
【００２１】
（４）また、本発明のスタンプラリーシステムにおいて、前記ユーザ登録部は、ユーザ情報にユーザの興味カテゴリを含めて登録し、前記ルート計算部は、同一の前記興味カテゴリを選択した他のユーザが過去に読み取ったタグ情報を参照して、スタンプラリールートの計算を行なうことを特徴としている。
【００２２】
このように、同一の興味カテゴリを選択した他のユーザが過去に読み取ったタグ情報を参照して、スタンプラリールートの計算を行なうので、そのユーザが興味を持つ可能性のある場所に誘引することができる。これにより、スタンプラリーの魅力を失うことなく、利用促進を図ることが可能となる。
【００２３】
（５）また、本発明のスタンプラリーシステムにおいて、前記ルート計算部は、スタンプラリーの開始地点を、前記電子タグが設置された任意の場所とすることを特徴としている。
【００２４】
このように、スタンプラリーの開始地点を、電子タグが設置された任意の場所とするので、スタンプラリールートを柔軟に計算することが可能となる。
【００２５】
（６）また、本発明のサーバ装置は、複数の電子タグ、携帯電話機およびサーバ装置から構成され、電子的なスタンプを用いてスタンプラリーを実施するスタンプラリーシステムに適用されるサーバ装置であって、前記携帯電話機のユーザ情報を登録するユーザ登録部と、前記ユーザ情報に基づいて、前記各電子タグが設置された複数の場所を特定の順序で連結する少なくとも一つのスタンプラリールートを計算するルート計算部と、前記計算されたスタンプラリールートを前記携帯電話機に出力するサーバ側通信部と、を備え、前記ルート計算部は、前記携帯電話機から入力されたタグ情報が、前記スタンプラリールートから外れた場合、前記ユーザ情報および前記スタンプラリールートから外れた場所のタグ情報に基づいて、再度スタンプラリールートを計算し、前記サーバ側通信部は、再度計算したスタンプラリールートを前記携帯電話機に出力することを特徴としている。
【００２６】
このように、携帯電話機から入力されたタグ情報が、スタンプラリールートから外れた場合、ユーザ情報およびスタンプラリールートから外れた場所のタグ情報に基づいて、再度スタンプラリールートを計算し、再度計算したスタンプラリールートを携帯電話機に出力するので、ユーザの趣味・嗜好に沿ったスタンプラリーのルートを動的に設定することができ、ユーザの満足度を向上させることができる。
【００２７】
（７）また、本発明のサーバ装置において、前記ユーザ登録部は、ユーザ情報にユーザの興味カテゴリを含めて登録し、前記ルート計算部は、同一の前記興味カテゴリを選択した他のユーザが過去に読み取ったタグ情報を参照して、スタンプラリールートの計算を行なうことを特徴としている。
【００２８】
このように、同一の興味カテゴリを選択した他のユーザが過去に読み取ったタグ情報を参照して、スタンプラリールートの計算を行なうので、そのユーザが興味を持つ可能性のある場所に誘引することができる。これにより、スタンプラリーの魅力を失うことなく、利用促進を図ることが可能となる。
【００２９】
（８）また、本発明のサーバ装置において、前記ルート計算部は、スタンプラリーの開始地点を、前記電子タグが設置された任意の場所とすることを特徴としている。
【００３０】
このように、スタンプラリーの開始地点を、電子タグが設置された任意の場所とするので、スタンプラリールートを柔軟に計算することが可能となる。
【発明の効果】
【００３１】
本発明によれば、携帯電話機から入力されたタグ情報が、スタンプラリールートから外れた場合、ユーザ情報およびスタンプラリールートから外れた場所のタグ情報に基づいて、再度スタンプラリールートを計算し、再度計算したスタンプラリールートを携帯電話機に出力するので、ユーザの趣味・嗜好に沿ったスタンプラリーのルートを動的に設定することができ、ユーザの満足度を向上させることができる。
【図面の簡単な説明】
【００３２】
【図１】本実施形態に係るスタンプラリーシステムの概略構成を示す図である。
【図２】本実施形態に係るスタンプラリーシステムの動作を示すフローチャートである。
【図３】ルート設定の一例を示す図である。
【図４Ａ】ユーザの興味分野・嗜好分野を示す図である。
【図４Ｂ】タグ管理項目を示す図である。
【図５Ａ】ユーザ管理項目を示す図である。
【図５Ｂ】ルート管理項目を示す図である。
【図６Ａ】参加者がルート内のショップを設定どおりに巡るケースを示す図である。
【図６Ｂ】参加者がルート内のショップをルートの順番を変えて巡るケースを示す図である。
【図７Ａ】参加者がルートにないショップを巡るケースを示す図である。
【図７Ｂ】参加者がルートにないショップを巡るケースを示す図である。
【図７Ｃ】参加者がルートにないショップを巡るケースを示す図である。
【図７Ｄ】参加者がルートにないショップを巡るケースを示す図である。
【図８Ａ】興味カテゴリの組合せと、該当するユーザＩＤを示す図である。
【図８Ｂ】参加者が読取ったタグを示す図である。
【発明を実施するための形態】
【００３３】
図１は、本実施形態に係るスタンプラリーシステムの概略構成を示す図である。スタンプラリーシステムは、サーバ装置１０と、携帯電話機２０と、電子タグ３０と、から構成されている。サーバ装置１０において、通信部（サーバ側通信部）１１は、携帯電話機２０との通信を行なう。そして、携帯電話機２０から受取った情報に基づいて、サーバ装置１０で必要な処理を行ない、その結果を携帯電話機２０へ返信する。処理部１２は、ユーザ登録部１２ａ、ルート計算部１２ｂ、およびユーザルート管理部１２ｃの３つの処理部を備えている。また、ユーザ管理ＤＢ１３、スタンプ管理ＤＢ１４、およびユーザルート管理ＤＢ１５の３つのデータベースを備えている。
【００３４】
ユーザ登録部１２ａは、ユーザ情報をユーザ管理ＤＢ１３に登録する。ユーザ管理ＤＢ１３に登録する情報は、ユーザの属性（年齢、性別、趣味・嗜好など）とする。また、ユーザ登録部１２ａは、１ユーザに１ＩＤを発行する。ルート計算部１２ｂは、ユーザ管理ＤＢ１３に登録したユーザ情報から、ユーザの属性に合致したスタンプラリーのルート（スタンプポイント）をスタンプ管理ＤＢ１４の情報を用いて計算する。計算したルートが複数ある場合は、携帯電話機２０を介してユーザに提示し、ユーザに選択を促す。ユーザは、いずれかのルートを決定し、決定したルートは、ユーザルート管理ＤＢ１５に登録する。
【００３５】
ユーザルート管理部１２ｃは、ユーザが読取ったタグＩＤが、ユーザの設定したルートに合致する場合は、ユーザルート管理ＤＢ１５に登録する。ユーザが携帯電話機２０を介して電子タグ３０の情報を読み取ると、スタンプを獲得したこととなる。そして、ユーザが今まで獲得したスタンプを確認し、後述する条件判定を行ない、合致した条件に応じた案内をユーザに行なう。条件判定とは、例えば、ルート内の全スタンプを獲得することとし、この条件が満たされた場合はスタンプラリーの完了とする。また、例えば、獲得したスタンプ数に応じた電子クーポン券の発行を行なう。
【００３６】
ユーザ管理ＤＢ１３は、ユーザを管理するためのデータベースである。管理項目は、ユーザＩＤ、携帯電話識別ＩＤ、性別、年代、趣味・嗜好、希望するスタンプラリー難易度、などである。スタンプ管理ＤＢ１４は、設置した電子タグ（スタンプ）を管理するためのデータベースである。管理項目は、タグＩＤ、設置場所、対象性別、対象年代、対象趣味・嗜好、などである。ユーザルート管理ＤＢ１５は、ユーザが獲得したスタンプを管理するためのデータベースである。ユーザＩＤ毎に、設定したルートの情報と、タグＩＤの読取り有無情報を格納する。
【００３７】
また、携帯電話機２０は、入力部２０ａ、通信部２０ｂ、タグ読取部２０ｃ、および表示部２０ｄを備えている。入力部（端末側入力部）２０ａは、ユーザからのキー操作を受付ける。キーに割り当てられた指示によって、タグ読取、サーバ通信、入力表示を行なう。タグ読取部２０ｃは、電子タグリーダを起動して、電子タグ３０の情報を読取る。電子タグ３０のタグＩＤを読取ったら、タグＩＤを用いてサーバ装置１０と通信を行なう。一方、タグＩＤを読取れない場合は、読取り失敗のメッセージを表示部２０ｄに表示する。通信部２０ｂは、サーバ装置１０との通信を行なう。読取ったタグＩＤや入力内容をサーバ装置１０に受渡し、サーバ装置１０からのレスポンスを表示部２０ｄに表示する。表示部２０ｄは、入力部２０ａ、通信部２０ｂ、タグ読取部２０ｃから受取った内容を表示する。
【００３８】
電子タグ３０は、タグＩＤ、設置場所に関するユニークな情報が設定されている。本実施形態に係るスタンプラリーシステムでは、複数の商業施設から構成される大規模商業施設において、各所に設置された案内板、各エリア・店舗に電子タグ３０を設置する。電子タグ３０には、設置場所に関するユニークな情報が設定される。ユーザは、自身が所有する携帯電話機２０にて、最寄の電子タグ３０を読取ると、サーバ装置１０において、ユーザ登録、ルート設定が行なわれて、スタンプラリーが開始される。本実施形態に係るスタンプラリーの開始地点は、任意の場所を設定することが可能である。
【００３９】
ユーザは、ルート設定された店舗、場所に設定してある電子タグ３０を次々と読み取って行き、スタンプラリーを進める。本実施形態では、スタンプラリーが一定条件を満たしたら、ユーザへ特定を付与する。特典の景品・クーポン券などを全て電子配布にしても良い（携帯電話機の表示部２０ｄにその内容を表示し、それを店員に見せることで優待を受けられるようにしても良い）。
【００４０】
図２は、本実施形態に係るスタンプラリーシステムの動作を示すフローチャートである。まず、携帯電話機２０が、電子タグ３０の情報を読み取る（ステップＳ１）。携帯電話機２０は、読み取りに成功したかどうかを判断し（ステップＳ２）、電子タグ３０の読み取りに成功しなかった場合は、再読取を実行するかどうかを判断する（ステップＳ３）。再読取を実行する場合は、ステップＳ１へ移行する一方、再読取を実行しない場合は終了する。
【００４１】
ステップＳ２において、電子タグ３０の読み取りに成功した場合は、携帯電話機の識別ＩＤとタグＩＤとをサーバ装置１０へ送信する。サーバ装置１０では、携帯電話機２０から携帯電話機の識別ＩＤとタグＩＤとを受信したら、当該ユーザのユーザ登録があるかどうかを判断する（ステップＳ４）。ユーザ登録が無い場合は、ユーザ登録を行なう（ステップＳ５）。サーバ装置１０は、携帯電話機２０に対して、ユーザ登録を行なう画面を出力し、携帯電話機２０からユーザ登録入力情報を受信する。ここでは、処理に必要な回数だけ、携帯電話機２０とサーバ装置１０との間で送受信が発生する。
【００４２】
次に、ステップＳ４でユーザ登録があった場合、またはステップＳ５のユーザ登録が行なわれた場合は、スタンプラリールートの設定があるかどうかを判断する（ステップＳ６）。ルートの設定が無い場合は、ステップＳ７へ移行し、ルートの設定がある場合は、設定ルートに存在するタグＩＤであるかどうかを判断する（ステップＳ８）。ステップＳ６において、ルート設定が無い場合、およびステップＳ８において、設定ルートに存在するタグＩＤで無い場合は、ルートの設定を行なう（ステップＳ７）。サーバ装置１０は、携帯電話機２０に対して、ルートを設定する画面を出力し、携帯電話機２０からルート設定入力情報を受信する。ここでは、処理に必要な回数だけ、携帯電話機２０とサーバ装置１０との間で送受信が発生する。
【００４３】
次に、ステップＳ８において、設定ルートに存在するタグＩＤである場合、または、ステップＳ７において、ルート設定をした場合、ルートの更新を行なう（ステップＳ９）。そして、ルートの分析を行ない（ステップＳ１０）、分析結果を携帯電話機２０に出力して、終了する。
【００４４】
図３は、ルート設定の一例を示す図である。すなわち、ユーザＡさん、Ｂさん、Ｃさんが同じ趣味嗜好のユーザであるとし、これらのユーザが別の入場口から入場し、入場口に設置された電子タグ３０を読取った場合は、ルートは異なるが、立寄るポイントは同じとなるようなルート計算を行なう。例えば、ユーザであるＡさんが、丸１、丸２、丸３、丸４の順序で電子タグを読み取るルートが設定された場合、Ｂさんは丸３、丸４、丸２、丸１のルート、Ｃさんは丸４、丸３、丸２、丸１のルートを設定することができる。
【００４５】
次に、本実施形態に係るスタンプラリーシステムを、ショッピングモールで実施する場合の具体例について説明する。ショップ（店舗）のカテゴリ、すなわち、ユーザの興味分野・嗜好分野は、図４Ａに示すＡ〜Ｈの８種類とする。３箇所のモール入口案内板と、１０のショップに電子タグを貼付ける。電子タグは、図４Ｂに示すようなタグ管理項目で管理する。
【００４６】
スタンプラリー参加者は、図５Ａに示すようなユーザ管理項目で管理する。例えば、図５Ａ中、ユーザＩＤ  Ｕ０００１の花子さんは、Ａ：レディースファッションとＤ：アクセサリーおよびジュエリーを興味カテゴリとして登録したことを示す。スタンプラリー参加者に設定されたルートは、図５Ｂに示すようなルート管理項目で管理する。図５Ｂは、花子さんの初回ルート設定結果を示す。図５Ｂから、花子さんは、モール入口２案内板の電子タグを読取り、ユーザ登録、ルート設定をしたことがわかる。また、花子さんは２０代、女性であり、Ａ：レディースファッションとＤ：アクセサリーおよびジュエリーを興味カテゴリとして登録したので、２０代、女性を対象とするＡ：レディースファッションのカテゴリに属するショップＳ０００１、Ｓ０００４、Ｓ０００６と、  Ｄ：アクセサリーおよびジュエリーのカテゴリに属するショップＳ０００３を順番に巡るルートが設定されていることがわかる。
【００４７】
このときにＳ０００８は、Ａ：レディースファッションであるが、対象年代が２０代でないため、花子さんのルートには設定されていない。また、ルート順番が、「Ｓ０００１、Ｓ０００６、Ｓ０００３、Ｓ０００４」の順となっているのは、モール入口２案内板を基点とした場合に最適な順番であるためである。もし、同じ花子さんが、モール入口１案内板の電子タグを読取ってルート設定すると、「Ｓ０００３、Ｓ０００４、Ｓ０００６、Ｓ０００１」の順のように、モール入口１案内板を基点とした場合に最適な順番となる。
【００４８】
また、設定したルート全てを参加者に見せても良いし、オプションとして次のポイントのみを見せる、すなわち、次のポイントのタグを読取ることで、更にその次のポイントが分かるようにしても良い。これにより、スタンプラリーの娯楽性の向上を図ることが可能となる。
【００４９】
図６Ａは、花子さんがルート内のショップを設定どおりに巡るケースを示す図である。花子さんが、設定したルート順番どおりに、ショップに立寄り電子タグを読取った場合は、電子タグの読取りを示す情報をルート管理項目に更新する。図６Ａは、Ｓ０００１とＳ０００４を順序どおりに電子タグを読取った状態を示す。
【００５０】
図６Ｂは、花子さんがルート内のショップを順番を変えて巡るケースを示す図である。Ｓ０００１、Ｓ０００６の順番で電子タグを読取った場合は、読み飛ばしたＳ０００３、Ｓ０００４に戻るルート再設定をすることができる。ルート再計算を行なうかどうかは参加者に問い合わせて、参加者が選択する。図６Ｂは、上記の場合にルート再計算を行なった後の状態を示す。ルートは「Ｓ０００１、Ｓ０００６、Ｓ０００３、Ｓ０００４」の順となっている。
【００５１】
図７Ａ〜図７Ｄは、花子さんがルートにないショップを巡るケースを示す図である。花子さんが、Ｓ０００１、Ｓ０００５（Ｅ：ファッション雑貨）の順番で電子タグを読取った場合、Ｓ０００５は花子さんが予め登録した興味カテゴリと異なるカテゴリのお店なので、Ｅ：ファッション雑貨も含めて、ルートを再設定することができる。ルートを再計算するかどうかは、参加者に問い合わせて、参加者が選択する。
【００５２】
図７Ａは、上記の場合にルート再計算を行なった後の状態を示す。ルートは、「Ｓ０００１、Ｓ０００５、Ｓ０００７、Ｓ０００３」の順となっている。図７Ｂは、上記の場合にルート再計算を行なった後の状態を示す。ルートは、「Ｓ０００１、Ｓ０００５、Ｓ０００７、Ｓ０００３、Ｓ０００４、Ｓ０００６」の順となっている。ここで、図７Ａと図７Ｂのルートの違いは、ユーザ登録時に、ルートに設定するショップ数を限定するか、対象ショップを全てまわるか等のスタンプラリーの難易度を設定することで実現する。また、このときにＥ：ファッション雑貨を、スタンプラリー中に読取った興味カテゴリとして、ユーザ管理項目に暫定登録する。その状態を図７Ｃに示す。スタンプラリー終了時に、暫定登録した興味カテゴリをユーザ登録内容から削除するか、本登録として残すかを、参加者に問い合わせて、参加者が選択する。また、図７Ｄのように、暫定登録した興味カテゴリを本登録として残しておくことで、次回来店した際のルート設定に反映することができる。
【００５３】
次に、参加者の統計情報を利用したルート設定について説明する。本実施形態に係るスタンプラリーシステムは、同一カテゴリを選択した他のユーザが過去に読取った電子タグ情報の統計情報から、ルート設定することも可能である。本機能は、何度もショッピングモールに訪れてスタンプラリーを利用する参加者に対して適用することで、スタンプラリーの魅力を失うことなく、参加促進を図ることを可能とする。なお、初めてスタンプラリーを実施する参加者に対しては適用しない方が好ましい場合もある。
【００５４】
図８Ａは、興味カテゴリの組合せと、該当するユーザＩＤを示すものであり、Ｕ０００１とＵ０００５の参加者は、ともにＡ：レディースファッション、Ｄ：アクセサリーおよびジュエリーを興味カテゴリに登録している。図８Ｂは、Ｕ０００１とＵ０００５の参加者が読取ったタグを示すものであり、Ｕ０００１は、カテゴリＡ、Ｄ以外にＳ０００７（Ｅ：ファッション雑貨）を読取っている。Ｕ０００５は、カテゴリＡ、Ｄ以外にＳ０００９（Ｇ：スポーツ）を読取っている。Ｕ０００１とＵ０００５の参加者がルート設定する際には、Ｓ０００１、Ｓ０００３は確率４／７で、Ｓ０００４、Ｓ０００７、Ｓ０００９は確率１／７でルートに含めるように、ルート設定することで、同一興味をもつ他のユーザの情報を活用したルート設定が可能となる。
【００５５】
以上説明したように、本実施形態に係るスタンプラリーシステムによれば、スタンプラリーのルートを、参加者の趣味・嗜好に沿ったルートを動的に設定することで、スタンプラリー参加者の満足度を向上することができる。また、電子タグを最初に読み取った地点（任意の地点）から、スタンプラリーをスタートさせることが可能となるため、従来のようにある定められたスタート地点から開始する必要がなく、参加者がよりスタンプラリーへ参加しやすくなる。
【符号の説明】
【００５６】
１０  サーバ装置
１１  （サーバ側）通信部
１２  処理部
１２ａ  ユーザ登録部
１２ｂ  ルート計算部
１２ｃ  ユーザルート管理部
２０  携帯電話機
２０ａ  入力部
２０ｂ  （端末側）通信部
２０ｃ  タグ読取部
２０ｄ  表示部
３０  電子タグ
【図１】
2011053956.tif 000003
【図２】
2011053956.tif 000004
【図３】
2011053956.tif 000005
【図４Ａ】
2011053956.tif 000006
【図４Ｂ】
2011053956.tif 000007
【図５Ａ】
2011053956.tif 000008
【図５Ｂ】
2011053956.tif 000009
【図６Ａ】
2011053956.tif 000010
【図６Ｂ】
2011053956.tif 000011
【図７Ａ】
2011053956.tif 000012
【図７Ｂ】
2011053956.tif 000013
【図７Ｃ】
2011053956.tif 000014
【図７Ｄ】
2011053956.tif 000015
【図８Ａ】
2011053956.tif 000016
【図８Ｂ】
2011053956.tif 000017